(57)【要約】【課題】プライマリセルとセカンダリセルで構成される複数のサービングセルで、効率的にチャネル状態情報を送信することができる移動通信システム、基地局装置、移動局装置、通信方法および集積回路を提供する。【解決手段】基地局装置は、第１の下りリンク制御情報フォーマットにチャネル状態情報リクエストを含めて送信し、第２の下りリンク制御情報フォーマットに前記チャネル状態情報リクエストを含めて送信し、移動局装置は、第１の下りリンク制御情報フォーマットに含まれる前記チャネル状態情報リクエストに基づいて、プライマリセルにおける物理上りリンク共用チャネルを使用してチャネル状態情報を送信し、第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を送信する。【選択図】図５
2013135247.tif 000002
【特許請求の範囲】
【請求項１】
プライマリセルとセカンダリセルで構成される複数のサービングセルで基地局装置と移動局装置が通信する移動通信システムにおいて、
前記基地局装置は、
第１の下りリンク制御情報フォーマットにチャネル状態情報の送信をリクエストするために使用されるチャネル状態情報リクエストを含めて前記移動局装置へ送信し、
第２の下りリンク制御情報フォーマットに前記チャネル状態情報リクエストを含めて前記移動局装置へ送信し、
前記移動局装置は、
第１の下りリンク制御情報フォーマットに含まれる前記チャネル状態情報リクエストに基づいて、前記プライマリセルにおける物理上りリンク共用チャネルを使用して前記チャネル状態情報を前記基地局装置へ送信し、
第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記基地局装置へ送信する
ことを特徴とする移動通信システム。
【請求項２】
前記移動局装置は、前記第１の下りリンク制御情報フォーマットに含まれる前記チャネル状態情報リクエストに基づいて、上位層の信号を使用して設定された前記物理上りリンク共用チャネルのリソースを使用して、前記チャネル状態情報を前記基地局装置へ送信する
ことを特徴とする請求項１に記載の移動通信システム。
【請求項３】
前記移動局装置は、前記第１の下りリンク制御情報フォーマットに含まれる前記チャネル状態情報リクエストに基づいて、上りリンク共用チャネルに対するトランスポートブロックを伴わずに前記チャネル状態情報を前記基地局装置へ送信する
ことを特徴とする請求項１または請求項２に記載の移動通信システム。
【請求項４】
前記第１の下りリンク制御情報フォーマットは、物理下りリンク共用チャネルのスケジューリングに使用される
ことを特徴とする請求項１から請求項３のいずれかに記載の移動通信システム。
【請求項５】
前記第２の下りリンク制御情報フォーマットは、物理上りリンク共用チャネルのスケジューリングに使用される
ことを特徴とする請求項１から請求項４のいずれかに記載の移動通信システム。
【請求項６】
プライマリセルとセカンダリセルで構成される複数のサービングセルで移動局装置と通信する基地局装置において、
第１の下りリンク制御情報フォーマットにチャネル状態情報の送信をリクエストするために使用されるチャネル状態情報リクエストを含めて前記移動局装置へ送信し、
第２の下りリンク制御情報フォーマットに前記チャネル状態情報リクエストを含めて前記移動局装置へ送信し、
第１の下りリンク制御情報フォーマットに含まれる前記チャネル状態情報リクエストに基づいて、前記プライマリセルにおける物理上りリンク共用チャネルを使用して前記チャネル状態情報を前記移動局装置から受信し、
第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記移動局装置から受信する
ことを特徴とする基地局装置。
【請求項７】
前記移動局装置が、前記第１の下りリンク制御情報フォーマットに含まれる前記チャネル状態情報リクエストに基づいて、前記チャネル状態情報を送信する際に使用する前記物理上りリンク共用チャネルのリソースを、上位層の信号を使用して設定する
ことを特徴とする請求項６に記載の基地局装置。
【請求項８】
前記第１の下りリンク制御情報フォーマットに含まれる前記チャネル状態情報リクエストに基づいて、上りリンク共用チャネルに対するトランスポートブロックを伴わずに前記チャネル状態情報を前記移動局装置から受信する
ことを特徴とする請求項６または請求項７に記載の基地局装置。
【請求項９】
前記第１の下りリンク制御情報フォーマットは、物理下りリンク共用チャネルのスケジューリングに使用される
ことを特徴とする請求項６から請求項８のいずれかに記載の基地局装置。
【請求項１０】
前記第２の下りリンク制御情報フォーマットは、物理上りリンク共用チャネルのスケジューリングに使用される
ことを特徴とする請求項６から請求項９のいずれかに記載の基地局装置。
【請求項１１】
プライマリセルとセカンダリセルで構成される複数のサービングセルで基地局装置と通信する移動局装置において、
チャネル状態情報の送信をリクエストするために使用されるチャネル状態情報リクエストを含む第１の下りリンク制御情報フォーマットを前記基地局装置から受信し、
前記チャネル状態情報リクエストを含む第２の下りリンク制御情報フォーマットを前記基地局装置から受信し、
第１の下りリンク制御情報フォーマットに含まれる前記チャネル状態情報リクエストに基づいて、前記プライマリセルにおける物理上りリンク共用チャネルを使用して前記チャネル状態情報を前記基地局装置へ送信し、
第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記基地局装置へ送信する
ことを特徴とする移動局装置。
【請求項１２】
前記第１の下りリンク制御情報フォーマットに含まれる前記チャネル状態情報リクエストに基づいて、上位層の信号を使用して設定された前記物理上りリンク共用チャネルのリソースを使用して、前記チャネル状態情報を前記基地局装置へ送信する
ことを特徴とする請求項１１に記載の移動局装置。
【請求項１３】
前記第１の下りリンク制御情報フォーマットに含まれる前記チャネル状態情報リクエストに基づいて、上りリンク共用チャネルに対するトランスポートブロックを伴わずに前記チャネル状態情報を前記基地局装置へ送信する
ことを特徴とする請求項１１または請求項１２に記載の移動局装置。
【請求項１４】
前記第１の下りリンク制御情報フォーマットは、物理下りリンク共用チャネルのスケジューリングに使用される
ことを特徴とする請求項１１から請求項１３のいずれかに記載の移動局装置。
【請求項１５】
前記第２の下りリンク制御情報フォーマットは、物理上りリンク共用チャネルのスケジューリングに使用される
ことを特徴とする請求項１１から請求項１４のいずれかに記載の移動局装置。
【請求項１６】
プライマリセルとセカンダリセルで構成される複数のサービングセルで移動局装置と通信する基地局装置の通信方法において、
第１の下りリンク制御情報フォーマットにチャネル状態情報の送信をリクエストするために使用されるチャネル状態情報リクエストを含めて前記移動局装置へ送信し、
第２の下りリンク制御情報フォーマットに前記チャネル状態情報リクエストを含めて前記移動局装置へ送信し、
第１の下りリンク制御情報フォーマットに含まれる前記チャネル状態情報リクエストに基づいて、前記プライマリセルにおける物理上りリンク共用チャネルを使用して前記チャネル状態情報を前記移動局装置から受信し、
第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記移動局装置から受信する
ことを特徴とする通信方法。
【請求項１７】
前記第１の下りリンク制御情報フォーマットは、物理下りリンク共用チャネルのスケジューリングに使用される
ことを特徴とする請求項１６に記載の通信方法。
【請求項１８】
前記第２の下りリンク制御情報フォーマットは、物理上りリンク共用チャネルのスケジューリングに使用される
ことを特徴とする請求項１６または請求項１７に記載の通信方法。
【請求項１９】
プライマリセルとセカンダリセルで構成される複数のサービングセルで基地局装置と通信する移動局装置の通信方法において、
チャネル状態情報の送信をリクエストするために使用されるチャネル状態情報リクエストを含む第１の下りリンク制御情報フォーマットを前記基地局装置から受信し、
前記チャネル状態情報リクエストを含む第２の下りリンク制御情報フォーマットを前記基地局装置から受信し、
第１の下りリンク制御情報フォーマットに含まれる前記チャネル状態情報リクエストに基づいて、前記プライマリセルにおける物理上りリンク共用チャネルを使用して前記チャネル状態情報を前記基地局装置へ送信し、
第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記基地局装置へ送信する
ことを特徴とする通信方法。
【請求項２０】
前記第１の下りリンク制御情報フォーマットは、物理下りリンク共用チャネルのスケジューリングに使用される
ことを特徴とする請求項１９に記載の通信方法。
【請求項２１】
前記第２の下りリンク制御情報フォーマットは、物理上りリンク共用チャネルのスケジューリングに使用される
ことを特徴とする請求項１９または請求項２０に記載の通信方法。
【請求項２２】
プライマリセルとセカンダリセルで構成される複数のサービングセルで移動局装置と通信する基地局装置に搭載される集積回路において、
第１の下りリンク制御情報フォーマットにチャネル状態情報の送信をリクエストするために使用されるチャネル状態情報リクエストを含めて前記移動局装置へ送信し、
第２の下りリンク制御情報フォーマットに前記チャネル状態情報リクエストを含めて前記移動局装置へ送信する処理と、
第１の下りリンク制御情報フォーマットに含まれる前記チャネル状態情報リクエストに基づいて、前記プライマリセルにおける物理上りリンク共用チャネルを使用して前記チャネル状態情報を前記移動局装置から受信する処理と、
第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記移動局装置から受信する処理と、を
実行させることを特徴とする集積回路。
【請求項２３】
前記第１の下りリンク制御情報フォーマットは、物理下りリンク共用チャネルのスケジューリングに使用される
ことを特徴とする請求項２２に記載の集積回路。
【請求項２４】
前記第２の下りリンク制御情報フォーマットは、物理上りリンク共用チャネルのスケジューリングに使用される
ことを特徴とする請求項２２または請求項２３に記載の集積回路。
【請求項２５】
プライマリセルとセカンダリセルで構成される複数のサービングセルで基地局装置と通信する移動局装置に搭載される集積回路において、
チャネル状態情報の送信をリクエストするために使用されるチャネル状態情報リクエストを含む第１の下りリンク制御情報フォーマットを前記基地局装置から受信し、
前記チャネル状態情報リクエストを含む第２の下りリンク制御情報フォーマットを前記基地局装置から受信する処理と、
第１の下りリンク制御情報フォーマットに含まれる前記チャネル状態情報リクエストに基づいて、前記プライマリセルにおける物理上りリンク共用チャネルを使用して前記チャネル状態情報を前記基地局装置へ送信する処理と、
第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記基地局装置へ送信する処理と、を
実行させることを特徴とする集積回路。
【請求項２６】
前記第１の下りリンク制御情報フォーマットは、物理下りリンク共用チャネルのスケジューリングに使用される
ことを特徴とする請求項２５に記載の集積回路。
【請求項２７】
前記第２の下りリンク制御情報フォーマットは、物理上りリンク共用チャネルのスケジューリングに使用される
ことを特徴とする請求項２５または請求項２６に記載の集積回路。
【発明の詳細な説明】
【技術分野】
【０００１】
本発明は、移動通信システム、基地局装置、移動局装置、通信方法および集積回路に関する。
【背景技術】
【０００２】
セルラー移動通信の無線アクセス方式および無線ネットワークの進化（以下、ＬＴＥ：Long Term Evolution、または、ＥＵＴＲＡ：Evolved Universal Terrestrial Radio Accessとも呼称する）が、第三世代パートナーシッププロジェクト（３ＧＰＰ：3rd Generation Partnership Project）において検討されている。ＬＴＥでは、基地局装置から移動局装置への下りリンクの通信方式として、マルチキャリア送信であるＯＦＤＭ（Orthogonal Frequency Division Multiplexing）方式が用いられる。また、移動局装置から基地局装置への上りリンクの通信方式として、シングルキャリア送信であるＳＣ−ＦＤＭＡ（Single-Carrier Frequency Division Multiple Access）方式が用いられる。ここで、ＬＴＥでは、基地局装置をｅＮｏｄｅＢ（evolved NodeB）、移動局装置をＵＥ（User Equipment）とも呼称する。
【０００３】
また、ＬＴＥリリース１０では、ＬＴＥリリース８／リリース９と同一のチャネル構造を持つサービングセルを複数用いて、基地局装置と移動局装置が通信を行う技術（セル集約: cell aggregation、キャリア集約: carrier aggregationとも呼称される）が検討されている（非特許文献１）。例えば、基地局装置と移動局装置は、集約された複数のサービングセルで、同一サブフレームにおいて、複数の物理チャネルでの情報の送受信を行う。
【０００４】
さらに、ＬＴＥリリース１１では、セル集約を使用して通信を行う際に、移動局装置が、基地局装置によって下りリンクアサインメントを使用してトリガされた物理上りリンク共用チャネル（ＰＵＳＣＨ：physical uplink shared channel）のリソースを使用して、チャネル状態情報（ＣＳＩ：Channel State Information）を送信することが検討されている（非特許文献２）。
【先行技術文献】
【非特許文献】
【０００５】
【非特許文献１】"Carrier aggregation in LTE-Advanced", 3GPP TSG-RAN WG1 #53bis, R1-082468, June 30-July 4, 2008.
【非特許文献２】"Views on CSI Reporting for Rel-11 Carrier Aggregation", 3GPP TSG-RAN WG1 #67, R1-114069, November 14-18, 2011.
【発明の概要】
【発明が解決しようとする課題】
【０００６】
しかしながら、従来の技術では、移動局装置が、基地局装置によってＣＳＩの送信を要求された際に、どのようにＣＳＩを送信するかの記載がなかった。すなわち、プライマリセルとセカンダリセルで構成されるサービングセルで基地局装置と通信する移動局装置が、基地局装置によってＣＳＩの送信を要求された際に、どのようにＣＳＩを送信するのかの記載がなかった。
【０００７】
本発明は、このような事情に鑑みてなされたものであり、プライマリセルとセカンダリセルで構成されるサービングセルで、効率的にＣＳＩを送信することができる移動通信システム、基地局装置、移動局装置、通信方法および集積回路を提供する。
【課題を解決するための手段】
【０００８】
（１）上記の目的を達成するために、本発明は、以下のような手段を講じた。すなわち、本発明の移動通信システムは、プライマリセルとセカンダリセルで構成される複数のサービングセルで基地局装置と移動局装置が通信する移動通信システムにおいて、前記基地局装置は、第１の下りリンク制御情報フォーマットにチャネル状態情報の送信をリクエストするために使用されるチャネル状態情報リクエストを含めて前記移動局装置へ送信し、第２の下りリンク制御情報フォーマットに前記チャネル状態情報リクエストを含めて前記移動局装置へ送信し、前記移動局装置は、第１の下りリンク制御情報フォーマットに含まれる前記チャネル状態情報リクエストに基づいて、前記プライマリセルにおける物理上りリンク共用チャネルを使用して前記チャネル状態情報を前記基地局装置へ送信し、第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記基地局装置へ送信することを特徴としている。
【０００９】
（２）また、前記移動局装置は、前記第１の下りリンク制御情報フォーマットに含まれる前記チャネル状態情報リクエストに基づいて、上位層の信号を使用して設定された前記物理上りリンク共用チャネルのリソースを使用して、前記チャネル状態情報を前記基地局装置へ送信することを特徴としている。
【００１０】
（３）また、前記移動局装置は、前記第１の下りリンク制御情報フォーマットに含まれる前記チャネル状態情報リクエストに基づいて、上りリンク共用チャネルに対するトランスポートブロックを伴わずに前記チャネル状態情報を前記基地局装置へ送信することを特徴としている。
【００１１】
（４）また、前記第１の下りリンク制御情報フォーマットは、物理下りリンク共用チャネルのスケジューリングに使用されることを特徴としている。
【００１２】
（５）また、前記第２の下りリンク制御情報フォーマットは、物理上りリンク共用チャネルのスケジューリングに使用されることを特徴としている。
【００１３】
（６）また、プライマリセルとセカンダリセルで構成される複数のサービングセルで移動局装置と通信する基地局装置において、第１の下りリンク制御情報フォーマットにチャネル状態情報の送信をリクエストするために使用されるチャネル状態情報リクエストを含めて前記移動局装置へ送信し、第２の下りリンク制御情報フォーマットに前記チャネル状態情報リクエストを含めて前記移動局装置へ送信し、第１の下りリンク制御情報フォーマットに含まれる前記チャネル状態情報リクエストに基づいて、前記プライマリセルにおける物理上りリンク共用チャネルを使用して前記チャネル状態情報を前記移動局装置から受信し、第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記移動局装置から受信することを特徴としている。
【００１４】
（７）また、前記移動局装置が、前記第１の下りリンク制御情報フォーマットに含まれる前記チャネル状態情報リクエストに基づいて、前記チャネル状態情報を送信する際に使用する前記物理上りリンク共用チャネルのリソースを、上位層の信号を使用して設定することを特徴としている。
【００１５】
（８）また、前記第１の下りリンク制御情報フォーマットに含まれる前記チャネル状態情報リクエストに基づいて、上りリンク共用チャネルに対するトランスポートブロックを伴わずに前記チャネル状態情報を前記移動局装置から受信することを特徴としている。
【００１６】
（９）また、前記第１の下りリンク制御情報フォーマットは、物理下りリンク共用チャネルのスケジューリングに使用されることを特徴としている。
【００１７】
（１０）また、前記第２の下りリンク制御情報フォーマットは、物理上りリンク共用チャネルのスケジューリングに使用されることを特徴としている。
【００１８】
（１１）また、プライマリセルとセカンダリセルで構成される複数のサービングセルで基地局装置と通信する移動局装置において、チャネル状態情報の送信をリクエストするために使用されるチャネル状態情報リクエストを含む第１の下りリンク制御情報フォーマットを前記基地局装置から受信し、前記チャネル状態情報リクエストを含む第２の下りリンク制御情報フォーマットを前記基地局装置から受信し、第１の下りリンク制御情報フォーマットに含まれる前記チャネル状態情報リクエストに基づいて、前記プライマリセルにおける物理上りリンク共用チャネルを使用して前記チャネル状態情報を前記基地局装置へ送信し、第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記基地局装置へ送信することを特徴としている。
【００１９】
（１２）また、前記第１の下りリンク制御情報フォーマットに含まれる前記チャネル状態情報リクエストに基づいて、上位層の信号を使用して設定された前記物理上りリンク共用チャネルのリソースを使用して、前記チャネル状態情報を前記基地局装置へ送信することを特徴としている。
【００２０】
（１３）また、前記第１の下りリンク制御情報フォーマットに含まれる前記チャネル状態情報リクエストに基づいて、上りリンク共用チャネルに対するトランスポートブロックを伴わずに前記チャネル状態情報を前記基地局装置へ送信することを特徴としている。
【００２１】
（１４）また、前記第１の下りリンク制御情報フォーマットは、物理下りリンク共用チャネルのスケジューリングに使用されることを特徴としている。
【００２２】
（１５）また、前記第２の下りリンク制御情報フォーマットは、物理上りリンク共用チャネルのスケジューリングに使用されることを特徴としている。
【００２３】
（１６）また、プライマリセルとセカンダリセルで構成される複数のサービングセルで移動局装置と通信する基地局装置の通信方法において、第１の下りリンク制御情報フォーマットにチャネル状態情報の送信をリクエストするために使用されるチャネル状態情報リクエストを含めて前記移動局装置へ送信し、第２の下りリンク制御情報フォーマットに前記チャネル状態情報リクエストを含めて前記移動局装置へ送信し、第１の下りリンク制御情報フォーマットに含まれる前記チャネル状態情報リクエストに基づいて、前記プライマリセルにおける物理上りリンク共用チャネルを使用して前記チャネル状態情報を前記移動局装置から受信し、第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記移動局装置から受信することを特徴としている。
【００２４】
（１７）また、前記第１の下りリンク制御情報フォーマットは、物理下りリンク共用チャネルのスケジューリングに使用されることを特徴としている。
【００２５】
（１８）また、前記第２の下りリンク制御情報フォーマットは、物理上りリンク共用チャネルのスケジューリングに使用されることを特徴としている。
【００２６】
（１９）また、プライマリセルとセカンダリセルで構成される複数のサービングセルで基地局装置と通信する移動局装置の通信方法において、チャネル状態情報の送信をリクエストするために使用されるチャネル状態情報リクエストを含む第１の下りリンク制御情報フォーマットを前記基地局装置から受信し、前記チャネル状態情報リクエストを含む第２の下りリンク制御情報フォーマットを前記基地局装置から受信し、第１の下りリンク制御情報フォーマットに含まれる前記チャネル状態情報リクエストに基づいて、前記プライマリセルにおける物理上りリンク共用チャネルを使用して前記チャネル状態情報を前記基地局装置へ送信し、第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記基地局装置へ送信することを特徴としている。
【００２７】
（２０）また、前記第１の下りリンク制御情報フォーマットは、物理下りリンク共用チャネルのスケジューリングに使用されることを特徴としている。
【００２８】
（２１）また、前記第２の下りリンク制御情報フォーマットは、物理上りリンク共用チャネルのスケジューリングに使用されることを特徴としている。
【００２９】
（２２）また、プライマリセルとセカンダリセルで構成される複数のサービングセルで移動局装置と通信する基地局装置に搭載される集積回路において、第１の下りリンク制御情報フォーマットにチャネル状態情報の送信をリクエストするために使用されるチャネル状態情報リクエストを含めて前記移動局装置へ送信し、第２の下りリンク制御情報フォーマットに前記チャネル状態情報リクエストを含めて前記移動局装置へ送信する処理と、第１の下りリンク制御情報フォーマットに含まれる前記チャネル状態情報リクエストに基づいて、前記プライマリセルにおける物理上りリンク共用チャネルを使用して前記チャネル状態情報を前記移動局装置から受信する処理と、第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記移動局装置から受信する処理と、を実行させることを特徴としている。
【００３０】
（２３）また、前記第１の下りリンク制御情報フォーマットは、物理下りリンク共用チャネルのスケジューリングに使用されることを特徴としている。
【００３１】
（２４）また、前記第２の下りリンク制御情報フォーマットは、物理上りリンク共用チャネルのスケジューリングに使用されることを特徴としている。
【００３２】
（２５）また、プライマリセルとセカンダリセルで構成される複数のサービングセルで基地局装置と通信する移動局装置に搭載される集積回路において、チャネル状態情報の送信をリクエストするために使用されるチャネル状態情報リクエストを含む第１の下りリンク制御情報フォーマットを前記基地局装置から受信し、前記チャネル状態情報リクエストを含む第２の下りリンク制御情報フォーマットを前記基地局装置から受信する処理と、第１の下りリンク制御情報フォーマットに含まれる前記チャネル状態情報リクエストに基づいて、前記プライマリセルにおける物理上りリンク共用チャネルを使用して前記チャネル状態情報を前記基地局装置へ送信する処理と、第２の下りリンク制御情報フォーマットに含まれる前記チャネル状態情報リクエストに基づいて、前記第２の下りリンク制御情報フォーマットによって、あるサービングセルにスケジュールされた前記物理上りリンク共用チャネルを使用して前記チャネル状態情報を前記基地局装置へ送信する処理と、を実行させることを特徴としている。
【００３３】
（２６）また、前記第１の下りリンク制御情報フォーマットは、物理下りリンク共用チャネルのスケジューリングに使用されることを特徴としている。
【００３４】
（２７）また、前記第２の下りリンク制御情報フォーマットは、物理上りリンク共用チャネルのスケジューリングに使用されることを特徴としている。
【発明の効果】
【００３５】
本発明によれば、プライマリセルとセカンダリセルで構成されるサービングセルで、効率的にチャネル状態情報を送信することができる。
【図面の簡単な説明】
【００３６】
【図１】本実施形態に係る物理チャネルの構成を概念的に示す図である。
【図２】本実施形態に係る基地局装置の概略構成を示すブロック図である。
【図３】本実施形態に係る移動局装置の概略構成を示すブロック図である。
【図４】本実施形態が適用可能な移動通信システムの例を示す図である。
【図５】本実施形態を説明する図である。
【図６】本実施形態を説明する別の図である。
【発明を実施するための形態】
【００３７】
次に、本発明に係る実施形態について、図面を参照しながら説明する。図１は、本
実施形態に係る物理チャネルの一構成例を示す図である。ここで、物理チャネルは、時間領域、周波数領域によって定義される物理リソースブロックに配置される。
【００３８】
図１に示すように、下りリンクの物理チャネルには、物理下りリンク制御チャネル（ＰＤＣＣＨ：Physical Downlink Control Channel）、物理下りリンク共用チャネル（ＰＤＳＣＨ：Physical Downlink Shared Channel）などが含まれる。また、上りリンクの物理チャネルには、物理上りリンク共用チャネル（ＰＵＳＣＨ：Physical Uplink Shared Channel）、物理上りリンク制御チャネル（ＰＵＣＣＨ：Physical Uplink Control Channel）などが含まれる。
【００３９】
ここで、ＰＤＣＣＨは、ＰＤＳＣＨのスケジューリングに関する情報やＰＵＳＣＨのスケジューリングに関する情報などの下りリンク制御情報（ＤＣＩ：Downlink Control Information）を送信（通知、指定）するために使用される物理チャネルである。ここで、ＰＤＣＣＨは、ＰＤＳＣＨとＴＤＭ（時間分割多重：Time Division Multiplexing）されても良い。また、ＰＤＣＣＨは、ＰＤＳＣＨとＦＤＭ（周波数分割多重：Frequency Division Multiplexing）されても良い。例えば、ＰＤＳＣＨとＦＤＭされるＰＤＣＣＨは、Ｅ−ＰＤＣＣＨ（Enhanced-PDCCH）とも呼称されるが、以下、ＰＤＣＣＨには、Ｅ−ＰＤＣＣＨも含まれる。
【００４０】
また、下りリンク制御情報の送信に対して、複数のフォーマットが定義される。ここで、下りリンク制御情報の送信に使用されるフォーマットは、ＤＣＩフォーマット（Downlink Control Information format）とも呼称される。
【００４１】
例えば、ＤＣＩフォーマット１は、シングルアンテナポート送信モードでの１つの下りリンクセルにおける１つのＰＤＳＣＨのスケジューリングに使用される。また、ＤＣＩフォーマット２は、マルチアンテナポートモードでの１つの下りリンクセルにおける１つのＰＤＳＣＨのスケジューリングに使用される。
【００４２】
以下、ＰＤＳＣＨのスケジューリングに使用されるＤＣＩフォーマットを、下りリンクアサインメント（downlink assignment）とも記載する。すなわち、ＤＣＩフォーマット１およびＤＣＩフォーマット２は、下りリンクアサインメントに含まれる。
【００４３】
例えば、下りリンクアサインメントには、ＰＤＳＣＨに対するリソース割り当て情報（Resource block assignment）、ＰＤＳＣＨ（ＰＤＳＣＨで送信される下りリンクトランスポートブロック）に対する変調方式および符号化率に関する情報（ＭＣＳ：Modulation and Coding Scheme）などのフィールド（情報ビットへマップされるフィールド、情報フィールド）が定義される。ここで、ある１つの下りリンクアサインメントには、あるサービングセルにおける１つのＰＤＳＣＨに対するスケジューリング情報が含まれる。
【００４４】
また、例えば、ＤＣＩフォーマット０は、シングルアンテナポート送信モードでの１つの上りリンクセルにおける１つのＰＵＳＣＨのスケジューリングに使用される。また、ＤＣＩフォーマット４は、マルチアンテナポートモードでの１つの上りリンクセルにおける１つのＰＵＳＣＨのスケジューリングに使用される。
【００４５】
以下、ＰＵＳＣＨのスケジューリングに使用されるＤＣＩフォーマットを、上りリンクグラント（uplink grant）とも記載する。すなわち、ＤＣＩフォーマット０およびＤＣＩフォーマット４は、上りリンクグラントに含まれる。
【００４６】
例えば、上りリンクグラントには、ＰＵＳＣＨに対するリソース割り当て情報（Resource block assignment）、ＰＵＳＣＨ（ＰＵＳＣＨで送信される上りリンクトランスポートブロック）に対する変調方式および符号化率に関する情報（ＭＣＳ：Modulation and Coding Scheme）、スケジュールされたＰＵＳＣＨ（ＰＵＳＣＨでの送信）に対する送信電力制御コマンド（TPC command for scheduled PUSCH：Transmission Power Control command for scheduled PUSCH）などのフィールドが定義される。ここで、ある１つの上りリンクグラントには、あるサービングセルにおける１つのＰＵＳＣＨに対するスケジューリング情報が含まれる。
【００４７】
また、例えば、ＤＣＩフォーマット３やＤＣＩフォーマット３Ａは、ＰＵＣＣＨ（ＰＵＣＣＨでの送信）やＰＵＳＣＨ（ＰＵＳＣＨでの送信）に対する送信電力制御コマンド（TPC command for PUCCH、TPC command for PUSCH）の送信に使用される。例えば、ＤＣＩフォーマット３やＤＣＩフォーマット３Ａには、複数の移動局装置に対する複数の送信電力制御コマンドに対するフィールドのみが定義される。すなわち、ＤＣＩフォーマット３やＤＣＩフォーマット３Ａは、後述する共通サーチスペースで送信（共通サーチスペースに配置）される。
【００４８】
ここで、移動局装置は、ＰＤＣＣＨのサーチスペースにおいて、自装置宛のＰＤＣＣＨ（下りリンクアサインメントまたは上りリンクグラントが送信されるＰＤＣＣＨでも良い）の検出を試みる（ブラインドデコーディングを行う）。ここで、サーチスペースとは、基地局装置がＰＤＣＣＨを配置するために使用することができるリソースのセットである。
【００４９】
また、サーチスペースには、共通サーチスペース（Common Search Space：CSS）と移動局装置固有サーチスペース（UE specific Search Space：USS）が含まれる。ここで、共通サーチスペースとは、複数の移動局装置に対して共通のリソースによって定義される。また、移動局装置固有サーチスペースとは、移動局装置のそれぞれに対して独立に定義される。
【００５０】
すなわち、基地局装置は、共通サーチスペースで、複数の移動局装置を対象とするＤＣＩフォーマットおよび／または特定の移動局装置を対象とするＤＣＩフォーマットを送信する。また、基地局装置は、移動局装置固有サーチスペースで、特定の移動局装置を対象とするＤＣＩフォーマットを送信する。
【００５１】
ここで、例えば、共通サーチスペースは、プライマリセルのみに配置されても良い。また、共通サーチスペースで送信されるＤＣＩフォーマットには、後述するコンポーネントキャリア指示フィールドが含まれなくても良い。例えば、ＤＣＩフォーマット３やＤＣＩフォーマット３Ａには、コンポーネントキャリア指示フィールドが含まれなくても良い。すなわち、基地局装置は、ＤＣＩフォーマット３やＤＣＩフォーマット３Ａを使用して、プライマリセルにおけるＰＵＳＣＨでの送信やプライマリセルにおけるＰＵＣＣＨでの送信に対する送信電力を制御することができる。
【００５２】
また、移動局装置は、自装置宛のＰＤＣＣＨで、ＰＤＳＣＨのリソース割り当てを受信した場合には、指示されたリソース割り当てに応じて、ＰＤＳＣＨを使用して、下りリンクデータ（下りリンク共用チャネル（ＤＬ−ＳＣＨ：Downlink Shared Channel）に対するトランスポートブロック）を受信する。
【００５３】
また、移動局装置は、自装置宛のＰＤＣＣＨで、ＰＵＳＣＨのリソース割り当てが送信された場合には、指示されたリソース割り当てに応じて、ＰＵＳＣＨを使用して、上りリンクデータ（上りリンク共用チャネル（ＵＬ−ＳＣＨ：Uplink Shared Channel）に対するトランスポートブロック）および／または上りリンク制御データ（上りリンク制御情報）を送信する。
【００５４】
また、ＰＤＳＣＨは、ＤＬ−ＳＣＨに対するトランスポートブロックまたはページングチャネル（ＰＣＨ：Paging Channel）に対するトランスポートブロックを送信するために使用されるチャネルである。
【００５５】
ここで、ＤＬ−ＳＣＨに対するトランスポートブロックとは、例えば、ユーザーデータを示しており、ＤＬ−ＳＣＨは、トランスポートチャネルである。また、下りリンクトランスポートブロックは、ＭＡＣ（Medium Access Control）層で取り扱われる単位である。また、下りリンクトランスポートブロックは、物理層（Physical layer）において、コードワードに対応付けられる。すなわち、下りリンクトランスポートブロックは、ＭＡＣ層から物理層へ供給される（deliverされる）データの単位である。
【００５６】
さらに、ＰＵＳＣＨは、主に、ＵＬ−ＳＣＨに対するトランスポートブロックを送信するために使用される物理チャネルである。ここで、基地局装置が、移動局装置に対してＰＵＳＣＨをスケジューリングした場合には、上りリンク制御情報（ＵＣＩ：Uplink Control Information）もＰＵＳＣＨを使用して送信される。
【００５７】
例えば、移動局装置は、基地局装置によって送信されるＤＣＩフォーマットに含まれるＣＳＩリクエストに基づいて、非周期的にＣＳＩを、ＰＵＳＣＨを使用して送信することができる（Aperiodic CSI reporting using PUSCHとも呼称される）。
【００５８】
ここで、ＵＬ−ＳＣＨに対するトランスポートブロックとは、例えば、ユーザーデータを示しており、ＵＬ−ＳＣＨは、トランスポートチャネルである。また、上りリンクトランスポートブロックは、ＭＡＣ層で取り扱われる単位である。また、上りリンクトランスポートブロックは、物理層において、コードワードに対応付けられる。すなわち、上りリンクトランスポートブロックは、ＭＡＣ層から物理層へ供給される（deliverされる）データの単位である。
【００５９】
また、ＰＵＣＣＨは、上りリンク制御情報を送信するために使用される物理チャネルである。ここで、上りリンク制御情報には、下りリンクトランスポートブロックに対するＡＣＫ／ＮＡＣＫを示す情報（肯定応答：Positive Acknowledgement/否定応答：Negative Acknowledgementを示す情報）が含まれる。
【００６０】
また、上りリンク制御情報には、ＣＳＩが含まれる。ここで、ＣＳＩには、チャネル品質インディケータ（ＣＱＩ：Channel Quality Indicator）や、プレコーディングマトリックスインディケータ（ＰＭＩ：Pre-coding Matrix Indicator）や、ランクインディケータ（ＲＩ：Rank Indication）が含まれる。
【００６１】
また、上りリンク制御情報には、移動局装置が上りリンクデータを送信するためのリソースの割り当てを要求するために使用されるスケジューリングリクエスト（ＳＲ：Scheduling Request）が含まれる。
【００６２】
例えば、移動局装置は、基地局装置によって設定されるパラメータ（例えば、送信周期やＰＵＣＣＨのリソース）に従って、周期的にＣＳＩを、ＰＵＣＣＨを使用して送信することができる（Periodic CSI reporting using PUCCHとも呼称される）。ここで、移動局装置は、周期的にＣＳＩを、プライマリセルにおけるＰＵＣＣＨを使用して送信する。
【００６３】
さらに、基地局装置と移動局装置は、上位層（Higher layer）において信号をやり取り（送受信）する。例えば、基地局装置と移動局装置は、無線リソース制御（ＲＲＣ：Radio Resource Control）層において、無線リソース制御信号（ＲＲＣシグナリング：Radio Resource Control signaling、ＲＲＣメッセージ：Radio Resource Control message、ＲＲＣ情報：Radio Resource Control informationとも呼称される）を送受信する。
【００６４】
ここで、ＲＲＣ層において、基地局装置によって、ある移動局装置に対して送信される専用の信号は、dedicated signal（ある移動局装置専用の信号）とも呼称される。すなわち、基地局装置によって、dedicated signalを使用して指定される設定（情報）は、ある移動局装置に固有（UE-specific）な設定となる。また、基地局装置と移動局装置は、ＭＡＣ（Medium Access Control）層において、ＭＡＣコントロールエレメントを送受信する。ここで、ＲＲＣシグナリングおよび／またはＭＡＣコントロールエレメントは、上位層の信号（Higher layer signaling）に含まれる。
【００６５】
［基地局装置の構成］
図２は、本実施形態に係る基地局装置１００の概略構成を示すブロック図である。基地局装置１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成し、データ制御部１０１、送信データ変調部１０２、無線部１０３、スケジューリング部１０４、上位層１０８およびアンテナ１０９で送信部を構成している。ここで、基地局装置１００を構成する各部を、ユニットとも呼称する。
【００６６】
アンテナ１０９、無線部１０３、チャネル推定部１０５、受信データ復調部１０６、データ抽出部１０７で上りリンクの物理層の処理を行なう。アンテナ１０９、無線部１０３、送信データ変調部１０２、データ制御部１０１で下りリンクの物理層の処理を行なう。
【００６７】
データ制御部１０１は、スケジューリング部１０４からトランスポートチャネルを受信する。データ制御部１０１は、トランスポートチャネルと、物理層で生成される信号およびチャネルを、スケジューリング部１０４から入力されるスケジューリング情報に基づいて、物理チャネルにマッピングする。以上のようにマッピングされた各データは、送信データ変調部１０２へ出力される。
【００６８】
送信データ変調部１０２は、送信データをＯＦＤＭ方式に変調する。送信データ変調部１０２は、データ制御部１０１から入力されたデータに対して、スケジューリング部１０４からのスケジューリング情報や、各物理リソースブロック（ＰＲＢ：Physical Resource Block）に対応する変調方式および符号化方式に基づいて、コーディング、入力信号の直列／並列変換、ＩＦＦＴ（逆高速フーリエ変換：Inverse Fast Fourier Transform）処理、ＣＰ（Cyclic Prefix）挿入、並びに、フィルタリングなどの信号処理を行ない、送信データを生成して、無線部１０３へ出力する。
【００６９】
ここで、スケジューリング情報には、ＰＲＢ割り当て情報、例えば、周波数、時間によって構成されるＰＲＢの位置情報が含まれ、各ＰＲＢに対応する変調方式および符号化方式には、例えば、変調方式：１６ＱＡＭ、符号化率：２／３コーディングレートなどの情報が含まれる。
【００７０】
無線部１０３は、送信データ変調部１０２から入力された変調データを無線周波数にアップコンバートして無線信号を生成し、アンテナ１０９を介して、移動局装置２００に送信する。また、無線部１０３は、移動局装置２００からの上りリンクの無線信号を、アンテナ１０９を介して受信し、ベースバンド信号にダウンコンバートして、受信データをチャネル推定部１０５と受信データ復調部１０６とに出力する。
【００７１】
スケジューリング部１０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００７２】
スケジューリング部１０４は、下りリンクのスケジューリングでは、移動局装置２００から受信した上りリンク制御情報や、各移動局装置２００において使用可能なＰＲＢの情報や、バッファ状況や、上位層１０８から入力されたスケジューリング情報などに基づいて、各データを変調するための下りリンクのトランスポートフォーマット（送信形態、すなわち、ＰＲＢの割り当てや変調方式や符号化方式）の選定処理およびＨＡＲＱにおける再送制御および下りリンクに使用されるスケジューリング情報の生成を行なう。これら下りリンクのスケジューリングに使用されるスケジューリング情報は、データ制御部１０１へ出力される。
【００７３】
また、スケジューリング部１０４は、上りリンクのスケジューリングでは、チャネル推定部１０５が出力する上りリンクのチャネル状態（無線伝搬路状態）の推定結果、移動局装置２００からのリソース割り当て要求、各移動局装置２００において使用可能なＰＲＢの情報、上位層１０８から入力されたスケジューリング情報などに基づいて、各データを変調するための上りリンクのトランスポートフォーマット（送信形態、すなわち、ＰＲＢの割り当てや変調方式や符号化方式など）の選定処理および上りリンクのスケジューリングに使用されるスケジューリング情報の生成を行なう。これら上りリンクのスケジューリングに使用されるスケジューリング情報は、データ制御部１０１へ出力される。
【００７４】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクで取得した制御データとトランスポートチャンネルを、必要に応じて処理した後、上りリンクの論理チャネルにマッピングし、上位層１０８へ出力する。
【００７５】
チャネル推定部１０５は、上りリンクデータの復調のために、上りリンク復調用参照信号（ＵＤＲＳ：Uplink Demodulation Reference Signal）から上りリンクのチャネル状態を推定し、その推定結果を受信データ復調部１０６に出力する。また、上りリンクのスケジューリングを行なうために、上りリンク測定用参照信号（ＳＲＳ：Sounding Reference Signal）から上りリンクのチャネル状態を推定し、その推定結果をスケジューリング部１０４に出力する。
【００７６】
受信データ復調部１０６は、ＯＦＤＭ方式および／またはＳＣ−ＦＤＭＡ方式に変調された受信データを復調するＯＦＤＭ復調部および／またはＤＦＴ−Ｓｐｒｅａｄ−ＯＦＤＭ（ＤＦＴ−Ｓ−ＯＦＤＭ）復調部を兼ねている。受信データ復調部１０６は、チャネル推定部１０５から入力された上りリンクのチャネル状態推定結果に基づいて、無線部１０３から入力された変調データに対し、ＤＦＴ変換、サブキャリアマッピング、ＩＦＦＴ変換、フィルタリング等の信号処理を行なって、復調処理を施し、データ抽出部１０７に出力する。
【００７７】
データ抽出部１０７は、受信データ復調部１０６から入力されたデータに対して、正誤を確認するとともに、確認結果（ＡＣＫまたはＮＡＣＫ）をスケジューリング部１０４に出力する。また、データ抽出部１０７は、受信データ復調部１０６から入力されたデータからトランスポートチャネルと物理層の制御データとに分離して、スケジューリング部１０４に出力する。分離された制御データには、移動局装置２００から送信されたＣＳＩやＨＡＲＱにおける制御情報やスケジューリングリクエストなどが含まれている。
【００７８】
上位層１０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００７９】
上位層１０８は、無線リソース制御部１１０（制御部とも呼称される）を有している。また、無線リソース制御部１１０は、各種設定情報の管理、システム情報の管理、ページング制御、各移動局装置２００の通信状態の管理、ハンドオーバーなどの移動管理、移動局装置２００ごとのバッファ状況の管理、ユニキャストおよびマルチキャストベアラの接続設定の管理、移動局識別子（ＵＥＩＤ）の管理などを行なっている。上位層１０８は、別の基地局装置１００への情報および上位ノードへの情報の授受を行なう。
【００８０】
［移動局装置の構成］
図３は、本実施形態に係る移動局装置２００の概略構成を示すブロック図である。移動局装置２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成されている。また、データ制御部２０１、送信データ変調部２０２、無線部２０３、スケジューリング部２０４、上位層２０８、アンテナ２０９で送信部を構成し、無線部２０３、スケジューリング部２０４、チャネル推定部２０５、受信データ復調部２０６、データ抽出部２０７、上位層２０８、アンテナ２０９で受信部を構成している。ここで、移動局装置２００を構成する各部を、ユニットとも呼称する。
【００８１】
データ制御部２０１、送信データ変調部２０２、無線部２０３、で上りリンクの物理層の処理を行なう。無線部２０３、チャネル推定部２０５、受信データ復調部２０６、データ抽出部２０７、で下りリンクの物理層の処理を行なう。
【００８２】
データ制御部２０１は、スケジューリング部２０４からトランスポートチャネルを受信する。トランスポートチャネルと、物理層で生成される信号およびチャネルを、スケジューリング部２０４から入力されるスケジューリング情報に基づいて、物理チャネルにマッピングする。このようにマッピングされた各データは、送信データ変調部２０２へ出力される。
【００８３】
送信データ変調部２０２は、送信データをＯＦＤＭ方式および／またはＳＣ−ＦＤＭＡ方式に変調する。送信データ変調部２０２は、データ制御部２０１から入力されたデータに対し、データ変調、ＤＦＴ（離散フーリエ変換）処理、サブキャリアマッピング、ＩＦＦＴ（逆高速フーリエ変換）処理、ＣＰ挿入、フィルタリングなどの信号処理を行ない、送信データを生成して、無線部２０３へ出力する。
【００８４】
無線部２０３は、送信データ変調部２０２から入力された変調データを無線周波数にアップコンバートして無線信号を生成し、アンテナ２０９を介して、基地局装置１００に送信する。また、無線部２０３は、基地局装置１００からの下りリンクのデータで変調された無線信号を、アンテナ２０９を介して受信し、ベースバンド信号にダウンコンバートして、受信データを、チャネル推定部２０５および受信データ復調部２０６に出力する。
【００８５】
スケジューリング部２０４は、ＭＡＣ層の処理を行なう。スケジューリング部１０４は、論理チャネルとトランスポートチャネルのマッピング、下りリンクおよび上りリンクのスケジューリング（ＨＡＲＱ処理、トランスポートフォーマットの選択など）などを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【００８６】
スケジューリング部２０４は、下りリンクのスケジューリングでは、基地局装置１００や上位層２０８からのスケジューリング情報（トランスポートフォーマットやＨＡＲＱ再送情報）などに基づいて、トランスポートチャネルおよび物理信号および物理チャネルの受信制御、ＨＡＲＱ再送制御および下りリンクのスケジューリングに使用されるスケジューリング情報の生成を行なう。これら下りリンクのスケジューリングに使用されるスケジューリング情報は、データ制御部２０１へ出力される。
【００８７】
スケジューリング部２０４は、上りリンクのスケジューリングでは、上位層２０８から入力された上りリンクのバッファ状況、データ抽出部２０７から入力された基地局装置１００からの上りリンクのスケジューリング情報（トランスポートフォーマットやＨＡＲＱ再送情報など）、および、上位層２０８から入力されたスケジューリング情報などに基づいて、上位層２０８から入力された上りリンクの論理チャネルをトランスポートチャネルにマッピングするためのスケジューリング処理および上りリンクのスケジューリングに使用されるスケジューリング情報の生成を行なう。なお、上りリンクのトランスポートフォーマットについては、基地局装置１００から通知された情報を利用する。これらスケジューリング情報は、データ制御部２０１へ出力される。
【００８８】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Cyclic Redundancy Check）の確認結果についても、データ制御部２０１へ出力する。また、スケジューリング部２０４は、データ抽出部２０７から入力された下りリンクで取得した制御データとトランスポートチャネルを、必要に応じて処理した後、下りリンクの論理チャネルにマッピングし、上位層２０８へ出力する。
【００８９】
チャネル推定部２０５は、下りリンクデータの復調のために、下りリンク参照信号から下りリンクのチャネル状態を推定し、その推定結果を受信データ復調部２０６に出力する。また、チャネル推定部２０５は、基地局装置１００に下りリンクのチャネル状態の推定結果を通知するために、下りリンク参照信号から下りリンクのチャネル状態を推定し、この推定結果を、チャネル状態情報として、スケジューリング部２０４に出力する。
【００９０】
受信データ復調部２０６は、ＯＦＤＭ方式に変調された受信データを復調する。受信データ復調部２０６は、チャネル推定部２０５から入力された下りリンクのチャネル状態推定結果に基づいて、無線部２０３から入力された変調データに対して、復調処理を施し、データ抽出部２０７に出力する。
【００９１】
データ抽出部２０７は、受信データ復調部２０６から入力されたデータに対して、ＣＲＣを行ない、正誤を確認するとともに、確認結果（ＡＣＫまたはＮＡＣＫを示す情報）をスケジューリング部２０４に出力する。また、データ抽出部２０７は、受信データ復調部２０６から入力されたデータからトランスポートチャネルと物理層の制御データに分離して、スケジューリング部２０４に出力する。分離された制御データには、下りリンクまたは上りリンクのリソース割り当てや上りリンクのＨＡＲＱ制御情報などのスケジューリング情報が含まれている。
【００９２】
上位層２０８は、パケットデータ統合プロトコル（ＰＤＣＰ：Packet Data Convergence Protocol）層、無線リンク制御（ＲＬＣ：Radio Link Control）層、無線リソース制御（ＲＲＣ：Radio Resource Control）層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【００９３】
上位層２０８は、無線リソース制御部２１０（制御部とも呼称される）を有している。無線リソース制御部２１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理を行なう。
【００９４】
［セル集約（キャリア集約）について］
図４は、本実施形態に係るセル集約（または、キャリア集約）を説明する図である。本実施形態において、セル集約は、上りリンクと下りリンクでサポートされ、例えば、各サービングセルは１１０リソースブロックまでの送信帯域幅を持つことができる。
【００９５】
図４は、３つのサービングセル（サービングセル１、サービングセル２、サービングセル３）が集約されていることを示している。ここで、下りリンクにおけるサービングセルは、下りリンクセルとも呼称される。また、上りリンクにおけるサービングセルは、上りリンクセルとも呼称される。ここで、サービングセルは、単に、セルとも呼称される。
【００９６】
図４において、基地局装置は、通信に使用するかもしれない（ＰＤＣＣＨおよび／またはＰＤＳＣＨおよび／またはＰＵＳＣＨを割り当てるかもしない）１つまたは複数のサービングセルのセットを、移動局装置に対して設定する。例えば、基地局装置は、サービングセルのセットを、ＲＲＣシグナリングを使用して、移動局装置に対して設定する。
【００９７】
ここで、図４において、集約された複数のサービングセルのうちの、例えば、１つのサービングセルは、プライマリセル（Ｐｃｅｌｌ：Primary cell）と定義される。例えば、プライマリセルは、ＬＴＥリリース８／リリース９のセルと同等の機能を持つサービングセルとして定義される。
【００９８】
また、プライマリセルは、移動局装置が、初期コネクション確立（initial connection establishment）プロシージャを実行したセルとして定義される。また、プライマリセルは、移動局装置が、コネクション再確立（connection re-establishment）プロシージャを開始するセルとして定義される。また、プライマリセルは、移動局装置が、ハンドオーバプロシージャ中にプライマリセルとして指示されたセルとして定義される。
【００９９】
ここで、例えば、基地局装置は、プライマリセルを、ＲＲＣシグナリングを使用して、移動局装置へ指示することができる。また、プライマリセルは、移動局装置が、ＰＵＣＣＨを使用して上りリンク制御情報を送信するセルとして定義される。すなわち、ＰＵＣＣＨは、プライマリセルのみに配置される。
【０１００】
また、図４において、プライマリセルを除いたサービングセルは、セカンダリセル（Ｓｃｅｌｌ：Secondary cell）と定義される。セカンダリセルは、主に、移動局装置に対して追加の無線リソースを提供するために使用され、ＰＤＳＣＨ、ＰＵＳＣＨ、ＰＲＡＣＨでの情報の送受信に使用される。例えば、基地局装置は、セカンダリセルを、ＲＲＣシグナリングを使用して、移動局装置へ指示することができる。また、例えば、基地局装置は、ＲＲＣシグナリングを使用して、移動局装置へセカンダリセルの追加／除去を指示することができる。
【０１０１】
ここで、下りリンクにおいてサービングセルに対応するキャリアは、下りリンクコンポーネントキャリア（ＤＬＣＣ：Downlink Component Carrier）と定義される。また、上りリンクにおいてサービングセルに対応するキャリアは、上りリンクコンポーネントキャリア（ＵＬＣＣ：Uplink Component Carrier）と定義される。
【０１０２】
また、下りリンクにおいてプライマリセルに対応するキャリアは、下りリンクプライマリコンポーネントキャリア（ＤＬＰＣＣ:Downlink Primary Component Carrier）と定義される。また、下りリンクにおいてセカンダリセルに対応するキャリアは、下りリンクセカンダリコンポーネントキャリア（ＤＬＳＣＣ:Downlink Secondary Component Carrier）と定義される。
【０１０３】
また、上りリンクにおいてプライマリセルに対応するキャリアは、上りリンクプライマリコンポーネントキャリア（ＵＬＰＣＣ：Uplink Primary Component Carrier）と定義される。さらに、上りリンクにおいてセカンダリセルに対応するキャリアは、上りリンクセカンダリコンポーネントキャリア（ＵＬＳＣＣ:Uplink Secondary Component Carrier）と定義される。
【０１０４】
（第１の実施形態）
次に、基地局装置１００および移動局装置２００を用いた移動通信システムにおける本実施形態を説明する。本実施形態において、基地局装置は、第１のＤＣＩフォーマットにＣＳＩの送信をリクエストするために使用されるＣＳＩリクエストを含めて移動局装置へ送信し、第２のＤＣＩフォーマットにＣＳＩリクエストを含めて移動局装置へ送信し、移動局装置は、第１のＤＣＩフォーマットに含まれるＣＳＩリクエストに基づいて、プライマリセルにおけるＰＵＳＣＨを使用してＣＳＩを基地局装置へ送信し、第２のＤＣＩに含まれるＣＳＩリクエストに基づいて、第２のＤＣＩフォーマットによって、あるサービングセルにスケジュールされたＰＵＳＣＨを使用してＣＳＩを基地局装置へ送信する。
【０１０５】
ここで、移動局装置は、第１のＤＣＩフォーマットに含まれるＣＳＩリクエストに基づいて、上位層の信号を使用して設定されたＰＵＳＣＨのリソースを使用して、ＣＳＩを送信する。また、移動局装置は、第１のＤＣＩフォーマットに含まれるＣＳＩリクエストに基づいて、上りリンクトランスポートブロックを伴わずにＣＳＩを送信する。また、移動局装置は、第１のＤＣＩフォーマットに含まれるＣＳＩリクエストに基づいて、上りリンクトランスポートブロックを伴わずに、ＣＳＩと下りリンクトランスポートブロックに対するＡＣＫ／ＮＡＣＫを送信することができる。すなわち、移動局装置は、第１のＤＣＩフォーマットに含まれるＣＳＩリクエストに基づいて、上りリンクトランスポートブロックを伴わずに上りリンク制御情報のみを送信することができる。
【０１０６】
ここで、第１のＤＣＩフォーマットは、ＰＤＳＣＨのスケジューリングに使用される。すなわち、第１のＤＣＩフォーマットには、ＤＣＩフォーマット１やＤＣＩフォーマット２が含まれる。すなわち、第１のＤＣＩフォーマットは、下りリンクアサインメントである
また、第２のＤＣＩフォーマットは、ＰＵＳＣＨのスケジューリングに使用される。すなわち、第２のＤＣＩフォーマットには、ＤＣＩフォーマット０やＤＣＩフォーマット４が含まれる。すなわち、第２のＤＣＩフォーマットは、上りリンクグラントである。
【０１０７】
図５は、本実施形態を説明する図である。図５は、本実施形態を説明する例として、３つのサービングセルが示されている。すなわち、図５は、１つのプライマリセル（ＤＬＰＣＣ、ＵＬＰＣＣ）と２つのセカンダリセル（ＤＬＳＣＣ−１、ＤＬＳＣＣ−２、ＵＬＳＣＣ−１、ＵＬＳＣＣ−２）が示されている。
【０１０８】
図５において、基地局装置は、サービングセルにおける（１つまたは複数の）ＰＤＣＣＨを使用して送信される下りリンクアサインメント（下りリンク制御情報でも良い）を使用して、（１つまたは複数の）ＰＤＳＣＨをスケジュールする（割り当てる）。ここで、基地局装置は、１つのＰＤＣＣＨで送信される下りリンクアサインメントを使用して、複数のＰＤＳＣＨをスケジュールすることはできない。
【０１０９】
また、基地局装置は、ＰＤＣＣＨが配置されたサービングセルと同一のサービングセルに配置されたＰＤＳＣＨをスケジュールすることができる。図５では、例として、基地局装置が、ＤＬＰＣＣにおけるＰＤＣＣＨ（斜線で示されるＰＤＣＣＨ）を使用して送信される下りリンクアサインメントを使用して、ＤＬＰＣＣにおけるＰＤＳＣＨをスケジュールしていることが、実線で示されている。また、基地局装置が、ＤＬＳＣＣ−１におけるＰＤＣＣＨ（格子線で示されるＰＤＣＣＨ）を使用して送信される下りリンクアサインメントを使用して、ＤＬＳＣＣ−１におけるＰＤＳＣＨをスケジュールしていることが、実線で示されている。また、基地局装置が、ＤＬＳＣＣ−２におけるＰＤＣＣＨ（網線で示されるＰＤＣＣＨ）を使用して送信される下りリンクアサインメントを使用して、ＤＬＳＣＣ−２におけるＰＤＳＣＨをスケジュールしていることが、実線で示されている。
【０１１０】
また、図５において、基地局装置は、ＰＤＣＣＨが配置されたサービングセルと同一、または、異なるサービングセルに配置されたＰＤＳＣＨをスケジュールすることができる。例えば、基地局装置は、ＰＤＣＣＨを使用して送信される下りリンクアサインメントにコンポーネントキャリア指示（ＣＩＦ：Component carrier Indicator Fieldとも呼称される、例えば、３ビットで表される）を含めて送信することによって、ＰＤＣＣＨが配置されたサービングセルと同一、または、異なるサービングセルに配置されたＰＤＳＣＨをスケジュールすることができる。
【０１１１】
図５では、例として、基地局装置が、ＤＬＰＣＣにおけるＰＤＣＣＨ（斜線で示される）を使用して送信される下りリンクアサインメントを使用して、ＤＬＰＣＣにおけるＰＤＳＣＨをスケジュールしていることが、点線で示されている。また、基地局装置が、ＤＬＰＣＣにおけるＰＤＣＣＨ（斜線で示される）を使用して送信される下りリンクアサインメントを使用して、ＤＬＳＣＣ−１におけるＰＤＳＣＨをスケジュールしていることが、点線で示されている。
【０１１２】
また、基地局装置が、ＤＬＳＣＣ−１におけるＰＤＣＣＨ（格子線で示される）を使用して送信される下りリンクアサインメントを使用して、ＤＬＳＣＣ−１におけるＰＤＳＣＨをスケジュールしていることが、点線で示されている。また、基地局装置が、ＤＬＳＣＣ−１におけるＰＤＣＣＨ（格子線で示される）を使用して送信される下りリンクアサインメントを使用して、ＤＬＳＣＣ−２におけるＰＤＳＣＨをスケジュールしていることが、点線で示されている。
【０１１３】
ここで、基地局装置は、ＰＤＣＣＨを使用して送信される下りリンクアサインメントによってスケジュールされたＰＤＳＣＨを使用して、下りリンクトランスポートブロックを送信する。例えば、基地局装置は、ＤＬＰＣＣ、ＤＬＳＣＣ−１、ＤＬＳＣＣ−２のそれぞれに配置されたＰＤＣＣＨを使用して送信される下りリンクアサインメントによってスケジュールされたＰＤＳＣＨを使用して、複数の下りリンクトランスポートブロックを送信することができる。
【０１１４】
図６は、本実施形態を説明する別の図である。図６は、本実施形態を説明する例として、３つのサービングセルが示されている。すなわち、図６は、１つのプライマリセル（ＤＬＰＣＣ、ＵＬＰＣＣ）と２つのセカンダリセル（ＤＬＳＣＣ−１、ＤＬＳＣＣ−２、ＵＬＳＣＣ−１、ＵＬＳＣＣ−２）が示されている。ここで、図６は、図５に対応している。
【０１１５】
図６において、基地局装置は、サービングセルにおける（１つまたは複数の）ＰＤＣＣＨを使用して送信される上りリンクグラント（下りリンク制御情報でも良い）を使用して、（１つまたは複数の）ＰＵＳＣＨをスケジュールする（割り当てる）。ここで、基地局装置は、１つのＰＤＣＣＨを使用して送信される上りリンクグラントを使用して、複数のＰＵＳＣＨをスケジュールすることはできない。
【０１１６】
また、基地局装置は、ＰＤＣＣＨが配置されたサービングセルと同一のサービングセルに配置されたＰＵＳＣＨをスケジュールすることができる。図６では、例として、基地局装置が、ＤＬＰＣＣにおけるＰＤＣＣＨ（斜線で示されるＰＤＣＣＨ）を使用して送信される上りリンクグラントを使用して、ＵＬＰＣＣにおけるＰＵＳＣＨをスケジュールしていることが、実線で示されている。また、基地局装置が、ＤＬＳＣＣ−１におけるＰＤＣＣＨ（格子線で示されるＰＤＣＣＨ）を使用して送信される上りリンクグラントを使用して、ＵＬＳＣＣ−１におけるＰＵＳＣＨをスケジュールしていることが、実線で示されている。また、基地局装置が、ＤＬＳＣＣ−２におけるＰＤＣＣＨ（網線で示されるＰＤＣＣＨ）を使用して送信される上りリンクグラントを使用して、ＵＬＳＣＣ−２におけるＰＵＳＣＨをスケジュールしていることが、実線で示されている。
【０１１７】
また、図６において、基地局装置は、ＰＤＣＣＨが配置されたサービングセルと同一、または、異なるサービングセルに配置されたＰＵＳＣＨをスケジュールすることができる。例えば、基地局装置は、ＰＤＣＣＨを使用して送信される上りリンクグラントにコンポーネントキャリア指示（ＣＩＦ：Component carrier Indicator Fieldとも呼称される、例えば、３ビットで表される）を含めて送信することによって、ＰＤＣＣＨが配置されたサービングセルと同一、または、異なるサービングセルに配置されたＰＵＳＣＨをスケジュールすることができる。
【０１１８】
図６では、例として、基地局装置が、ＤＬＰＣＣにおけるＰＤＣＣＨ（斜線で示される）を使用して送信される上りリンクグラントを使用して、ＵＬＰＣＣにおけるＰＵＳＣＨをスケジュールしていることが、点線で示されている。また、基地局装置が、ＤＬＰＣＣにおけるＰＤＣＣＨ（斜線で示される）を使用して送信される上りリンクグラントを使用して、ＵＬＳＣＣ−１におけるＰＵＳＣＨをスケジュールしていることが、点線で示されている。
【０１１９】
また、基地局装置が、ＤＬＳＣＣ−１におけるＰＤＣＣＨ（格子線で示される）を使用して送信される上りリンクグラントを使用して、ＵＬＳＣＣ−１におけるＰＵＳＣＨをスケジュールしていることが、点線で示されている。また、基地局装置が、ＤＬＳＣＣ−１におけるＰＤＣＣＨ（格子線で示される）を使用して送信される上りリンクグラントを使用して、ＵＬＳＣＣ−２におけるＰＵＳＣＨをスケジュールしていることが、点線で示されている。
【０１２０】
ここで、移動局装置は、ＰＤＣＣＨを使用して送信される上りリンクグラントによってスケジュールされたＰＵＳＣＨを使用して、上りリンクトランスポートブロックを送信する。例えば、移動局装置は、ＤＬＰＣＣ、ＤＬＳＣＣ−１、ＤＬＳＣＣ−２のそれぞれにおけるＰＤＣＣＨを使用して送信された上りリンクグラントによってスケジュールされたＰＵＳＣＨを使用して、複数の上りリンクトランスポートブロックを送信することができる。
【０１２１】
ここで、プライマリセルにおけるＰＤＳＣＨおよび／またはＰＵＳＣＨは、常に、プライマリセルにおけるＰＤＣＣＨを使用して送信される下りリンクアサインメント／上りリンクグラントによってスケジュールされる。すなわち、プライマリセルにおけるＰＤＳＣＨおよび／またはＰＵＳＣＨは、セカンダリセルにおけるＰＤＣＣＨを使用して送信される下りリンクアサインメント／上りリンクグラントによってスケジュールされない。
【０１２２】
以下、図５および図６を使用して、ＣＳＩの送信方法について記載する。ここで、基地局装置は、ＰＤＳＣＨのスケジューリングに使用されるＤＣＩフォーマット（すなわち、下りリンクアサインメント）にＣＳＩリクエストを含めて送信することによって、移動局装置に対して、ＣＳＩの送信をリクエスト（要求、指示、トリガ）することができる。すなわち、下りリンクアサインメントには、ＣＳＩの送信をリクエストするために使用される（ＣＳＩの送信をリクエストするかどうかを指示するために使用される）ＣＳＩリクエスト（ＣＳＩリクエストフィールド）が含まれる。
【０１２３】
また、基地局装置は、ＰＵＳＣＨのスケジューリングに使用されるＤＣＩフォーマット（すなわち、上りリンクグラント）にＣＳＩリクエストを含めて送信することによって、移動局装置に対して、ＣＳＩの送信をリクエスト（要求、指示、トリガ）することができる。すなわち、上りリンクグラントには、ＣＳＩの送信をリクエストするために使用される（ＣＳＩの送信をリクエストするかどうかを指示するために使用される）ＣＳＩリクエスト（ＣＳＩリクエストフィールド）が含まれる。
【０１２４】
例えば、基地局装置は、１ビットのＣＳＩリクエスト（ＣＳＩリクエストフィールド）に“１”をセットすることによって、移動局装置に対して、ＣＳＩの送信をリクエストすることができる。また、例えば、基地局装置は、２ビットのＣＳＩリクエスト（ＣＳＩリクエストフィールド）に“０１”または“１０”または“１１”をセットすることによって、移動局装置に対して、ＣＳＩの送信をリクエストすることができる。
【０１２５】
ここで、図５において、下りリンクアサインメントに含まれるＣＳＩリクエスト（ＣＳＩの送信をリクエストする値にセットされたＣＳＩリクエスト）を受信（検出）した移動局装置は、プライマリセルにおけるＰＵＳＣＨを使用してＣＳＩを送信する。すなわち、移動局装置は、下りリンクアサインメントに含まれるＣＳＩリクエストに基づいてＣＳＩを送信する際には、常に、プライマリセルでＣＳＩを送信する。
【０１２６】
すなわち、移動局装置は、プライマリセルにおけるＰＤＳＣＨのスケジューリングに使用される下りリンクアサインメントに含まれるＣＳＩリクエストに基づいて、プライマリセルにおけるＰＵＳＣＨを使用してＣＳＩを送信する。また、移動局装置は、セカンダリセルにおけるＰＤＳＣＨのスケジューリングに使用される下りリンクアサインメントに含まれるＣＳＩリクエストに基づいて、プライマリセルにおけるＰＵＳＣＨを使用してＣＳＩを送信する。すなわち、移動局装置は、あるサービングセルに対する下りリンクアサインメントに含まれるＣＳＩリクエストに基づいて、プライマリセルにおけるＰＵＳＣＨを使用してＣＳＩを送信する。
【０１２７】
ここで、移動局装置は、下りリンクアサインメントに含まれるＣＳＩリクエストに基づいて、非周期的にＣＳＩを、ＰＵＳＣＨを使用して送信することができる（Aperiodic CSI reporting using PUSCH、One shot CSI reporting using PUSCHとも呼称される）。すなわち、移動局装置は、下りリンクアサインメントに含まれるＣＳＩリクエストに基づいて、ＰＵＳＣＨを使用して、１回だけＣＳＩを送信することができる。
【０１２８】
また、移動局装置は、下りリンクアサインメントに含まれるＣＳＩリクエストに基づいて、周期的にＣＳＩを、ＰＵＳＣＨを使用して送信することができる（Periodic CSI reporting using PUSCHとも呼称される）。
【０１２９】
すなわち、移動局装置は、ＣＳＩリクエストが含まれる下りリンクアサインメントを、どのサービングセルにおいて受信した場合であっても、常に、プライマリセルにおけるＰＵＳＣＨを使用してＣＳＩを送信する。
【０１３０】
例えば、図５において、移動局装置は、ＤＬＰＣＣにおけるＰＤＳＣＨのスケジューリングに使用される、ＤＬＰＣＣにおけるＰＤＣＣＨで送信される下りリンクアサインメントに含まれるＣＳＩリクエストに基づいて、ＵＬＰＣＣにおけるＰＵＳＣＨを使用してＣＳＩを送信する。また、移動局装置は、ＤＬＳＣＣ−１におけるＰＤＳＣＨのスケジューリングに使用される、ＤＬＰＣＣにおけるＰＤＣＣＨで送信される下りリンクアサインメントに含まれるＣＳＩリクエストに基づいて、ＵＬＰＣＣにおけるＰＵＳＣＨを使用してＣＳＩを送信する。
【０１３１】
また、移動局装置は、ＤＬＳＣＣ−１におけるＰＤＳＣＨのスケジューリングに使用される、ＤＬＳＣＣ−１におけるＰＤＣＣＨで送信される下りリンクアサインメントに含まれるＣＳＩリクエストに基づいて、ＵＬＰＣＣにおけるＰＵＳＣＨを使用してＣＳＩを送信する。また、移動局装置は、ＤＬＳＣＣ−２におけるＰＤＳＣＨのスケジューリングに使用される、ＤＬＳＣＣ−１におけるＰＤＣＣＨで送信される下りリンクアサインメントに含まれるＣＳＩリクエストに基づいて、ＵＬＰＣＣにおけるＰＵＳＣＨを使用してＣＳＩを送信する。
【０１３２】
また、移動局装置は、ＤＬＳＣＣ−２におけるＰＤＳＣＨのスケジューリングに使用される、ＤＬＳＣＣ−２におけるＰＤＣＣＨで送信される下りリンクアサインメントに含まれるＣＳＩリクエストに基づいて、ＵＬＰＣＣにおけるＰＵＳＣＨを使用してＣＳＩを送信する。
【０１３３】
ここで、移動局装置は、下りリンクアサインメントに含まれるＣＳＩリクエストに基づいてＣＳＩを送信する際には、ＰＵＳＣＨを使用して、上りリンクトランスポートブロックを伴わずにＣＳＩを送信する。すなわち、移動局装置は、基地局装置によって下りリンクアサインメントを使用してＰＵＳＣＨでの送信を指示された場合には、上りリンクトランスポートブロックを送信することができない。
【０１３４】
ここで、移動局装置は、下りリンクアサインメントに含まれるＣＳＩリクエストに基づいてＣＳＩを送信する際には、ＰＵＳＣＨを使用して、上りリンクトランスポートブロックを伴わずに、ＣＳＩと下りリンクトランスポートブロックに対するＡＣＫ／ＮＡＣＫを示す情報を送信することができる。すなわち、移動局装置は、下りリンクアサインメントに含まれるＣＳＩリクエストに基づいて、ＰＵＳＣＨを使用して、上りリンク制御情報のみ（ＣＳＩのみ、または、ＣＳＩと下りリンクトランスポートブロックに対するＡＣＫ／ＮＡＣＫを示す情報のみ）を送信することができる。
【０１３５】
すなわち、下りリンクトランスポートブロックに対するＡＣＫ／ＮＡＣＫを送信する必要がある場合には、移動局装置は、下りリンクアサインメントに含まれるＣＳＩリクエストに基づいて、ＣＳＩと下りリンクトランスポートブロックに対するＡＣＫ／ＮＡＣＫを示す情報を共に送信することができる。
【０１３６】
上述のように、移動局装置が、下りリンクアサインメントを使用してＰＵＳＣＨでの送信を指示された場合には、上りリンク制御情報のみを送信することによって、基地局装置における処理をより容易とすることができる。すなわち、基地局装置が、上りリンクグラントを使用してＰＵＳＣＨでの送信を指示した場合にのみ、上りリンクトランスポートブロックが送信されることを認識しておくことによって、基地局装置における処理をより容易とすることができる。
【０１３７】
ここで、基地局装置は、移動局装置によってＣＳＩを送信するために使用されるＰＵＳＣＨのリソースを、上位層の信号（例えば、dedicated signaling）を使用して割り当てる（設定する）ことができる。すなわち、基地局装置は、ＰＵＳＣＨのリソースを指示するためのパラメータ（情報）を、上位層の信号に含めて送信することができる。すなわち、移動局装置は、下りリンクアサインメントに含まれるＣＳＩリクエストに基づいて、上位層の信号を使用して割り当てられたＰＵＳＣＨのリソース（プライマリセルにおけるＰＵＳＣＨのリソース）を使用して、ＣＳＩを送信する。
【０１３８】
ここで、基地局装置は、移動局装置がＣＳＩを送信するために使用されるＰＵＳＣＨのリソースを、上位層の信号（例えば、dedicated signaling）と下りリンクアサインメントを使用して割り当てても良い。例えば、基地局装置は、上位層の信号を使用して複数のＰＵＳＣＨのリソース（ＰＵＳＣＨのリソースの候補）を設定し、下りリンクアサインメントに含まれる下りリンク制御情報を使用して、複数のＰＵＳＣＨのリソースの中から、ＣＳＩの送信に使用されるＰＵＳＣＨのリソースを指示して（割り当てて）も良い。
【０１３９】
ここで、例えば、ＣＳＩの送信に使用されるＰＵＳＣＨのリソースの指示には、下りリンクアサインメントに含まれる下りリンク制御情報に対するフィールドが使用される。例えば、ＣＳＩの送信に使用されるＰＵＳＣＨのリソースの指示には、下りリンクアサインメントに含まれる変調方式および符号化率に関する情報フィールド（ＭＣＳフィールド）が使用される。また、ＣＳＩの送信に使用されるＰＵＳＣＨのリソースの指示には、下りリンクアサインメントに含まれるＣＳＩリクエスト（ＣＳＩリクエストフィールド）が使用される。
【０１４０】
また、基地局装置は、ＣＳＩの送信に使用されるＰＵＳＣＨのリソースの指示に使用されるフィールド（例えば、２ビットのフィールド）を下りリンクアサインメントに含めるかどうかを指示する情報を、上位層の信号（例えば、dedicated signaling）を使用して、移動局装置に対して設定することができる。
【０１４１】
また、例えば、基地局装置は、ＣＳＩリクエスト（ＣＳＩリクエストフィールド）を下りリンクアサインメントに含めるかどうかを設定することによって、移動局装置に対して、ＣＳＩの送信に使用されるＰＵＳＣＨのリソースの指示に使用されるフィールドを下りリンクアサインメントに含めるかどうかを設定しても良い。
【０１４２】
すなわち、移動局装置は、ＣＳＩの送信に使用されるＰＵＳＣＨのリソースの指示に使用されるフィールドが下りリンクアサインメントに含まれていることを設定された場合に、ＣＳＩの送信に使用されるＰＵＳＣＨのリソースの指示に使用されるフィールドが下りリンクアサインメントに含まれていることを認識して（例えば、２ビットのフィールドが下りリンクアサインメントに含まれることを認識して）、下りリンクアサインメント（下りリンクアサインメントが送信されるＰＤＣＣＨ）の検出を試みる（ブランドデコーディングを行う）。
【０１４３】
また、移動局装置は、ＣＳＩリクエスト（ＣＳＩリクエストフィールド）が下りリンクアサインメントに含まれていることを設定された場合に、ＣＳＩの送信に使用されるＰＵＳＣＨのリソースの指示に使用されるフィールドが下りリンクアサインメントに含まれていることを認識して（例えば、２ビットのフィールドが下りリンクアサインメントに含まることを認識して）、下りリンクアサインメント（下りリンクアサインメントが送信されるＰＤＣＣＨ）の検出を試みる（ブランドデコーディングを行う）。
【０１４４】
また、図６において、上りリンクグラントに含まれるＣＳＩリクエスト（ＣＳＩの送信をリクエストする値にセットされたＣＳＩリクエストフィールド）を受信（検出）した移動局装置は、上りリンクグラントによって、あるサービングセルにスケジュールされたＰＵＳＣＨを使用してＣＳＩを送信する。すなわち、移動局装置は、上りリンクグラントに含まれるＣＳＩリクエストに基づいてＣＳＩを送信する際には、上りリンクグラントによってスケジュールされたサービングセルでＣＳＩを送信する。
【０１４５】
すなわち、移動局装置は、プライマリセルにおけるＰＵＳＣＨのスケジューリングに使用される上りリンクグラントに含まれるＣＳＩリクエストに基づいて、プライマリセルにおけるＰＵＳＣＨを使用してＣＳＩを送信する。また、移動局装置は、セカンダリセルにおけるＰＵＳＣＨのスケジューリングに使用される上りリンクグラントに含まれるＣＳＩリクエストに基づいて、セカンダリセルにおけるＰＵＳＣＨを使用してＣＳＩを送信する。すなわち、移動局装置は、あるサービングセルに対する上りリンクグラントに含まれるＣＳＩリクエストに基づいて、あるサービングセルにおけるＰＵＳＣＨを使用してＣＳＩを送信する。
【０１４６】
ここで、移動局装置は、上りリンクグラントに含まれるＣＳＩリクエストに基づいて、非周期的にＣＳＩを、ＰＵＳＣＨを使用する（Aperiodic CSI reporting using PUSCH、One shot CSI reporting using PUSCHとも呼称される）。すなわち、移動局装置は、上りリンクグラントに含まれるＣＳＩリクエストに基づいて、ＰＵＳＣＨを使用して、１回だけＣＳＩを送信することができる。
【０１４７】
例えば、図６において、移動局装置は、ＵＬＰＣＣにおけるＰＵＳＣＨのスケジューリングに使用される、ＤＬＰＣＣにおけるＰＤＣＣＨで送信される上りリンクグラントに含まれるＣＳＩリクエストに基づいて、ＵＬＰＣＣにおけるＰＵＳＣＨを使用してＣＳＩを送信する。また、移動局装置は、ＵＬＳＣＣ−１におけるＰＵＳＣＨのスケジューリングに使用される、ＤＬＰＣＣにおけるＰＤＣＣＨで送信される上りリンクグラントに含まれるＣＳＩリクエストに基づいて、ＵＬＳＣＣ−１におけるＰＵＳＣＨを使用してＣＳＩを送信する。
【０１４８】
また、移動局装置は、ＵＬＳＣＣ−１におけるＰＵＳＣＨのスケジューリングに使用される、ＤＬＳＣＣ−１におけるＰＤＣＣＨで送信される上りリンクグラントに含まれるＣＳＩリクエストに基づいて、ＵＬＳＣＣ−１におけるＰＵＳＣＨを使用してＣＳＩを送信する。また、移動局装置は、ＵＬＳＣＣ−２におけるＰＵＳＣＨのスケジューリングに使用される、ＤＬＳＣＣ−１におけるＰＤＣＣＨで送信される上りリンクグラントに含まれるＣＳＩリクエストに基づいて、ＵＬＳＣＣ−２におけるＰＵＳＣＨを使用してＣＳＩを送信する。
【０１４９】
また、移動局装置は、ＵＬＳＣＣ−２におけるＰＵＳＣＨのスケジューリングに使用される、ＤＬＳＣＣ−２におけるＰＤＣＣＨで送信される上りリンクグラントに含まれるＣＳＩリクエストに基づいて、ＵＬＳＣＣ−２におけるＰＵＳＣＨを使用してＣＳＩを送信する。
【０１５０】
ここで、基地局装置は、移動局装置によってＣＳＩを送信するために使用されるＰＵＳＣＨのリソースを、上りリンクグラントに含まれる下りリンク制御情報を使用して割り当てることができる。すなわち、移動局装置は、上りリンクグラントに含まれるＣＳＩリクエストに基づいて、上りリンクグラントによって割り当てられたＰＵＳＣＨのリソース（あるサービングセルにスケジュールされたＰＵＳＣＨのリソース）を使用して、ＣＳＩを送信する。
【０１５１】
ここで、移動局装置は、上りリンクグラントに含まれるＣＳＩリクエストに基づいてＣＳＩを送信する際には、ＰＵＳＣＨを使用して、上りリンクトランスポートブロックと共にＣＳＩを送信することができる。ここで、移動局装置は、上りリンクグラントに含まれる下りリンク制御情報を使用して、上りリンクデータを伴わないＣＳＩの送信を指示された場合には、ＰＵＳＣＨを使用して、上りリンクトランスポートブロックを伴わずにＣＳＩのみ（上りリンク制御情報のみ）を送信することができる。
【０１５２】
すなわち、例えば、基地局装置は、セカンダリセルにおけるＰＤＳＣＨのスケジューリングに使用される下りリンクアサインメントにＣＳＩリクエストを含めて送信し、セカンダリセルにおけるＰＵＳＣＨのスケジューリングに使用される上りリンクグラントにＣＳＩリクエストを含めて送信し、移動局装置は、下りリンクアサインメントに含まれるＣＳＩリクエストに基づいて、プライマリセルにおけるＰＵＳＣＨを使用してＣＳＩを送信し、上りリンクグラントに含まれるＣＳＩリクエストに基づいて、上りリンクグラントによって、セカンダリセルにスケジュールされたＰＵＳＣＨを使用してＣＳＩを送信することができる。
【０１５３】
また、例えば、基地局装置は、ＰＤＳＣＨのスケジューリングに使用される下りリンクアサインメントにＣＳＩリクエストを含めて送信し、ＰＵＳＣＨのスケジューリングに使用される上りリンクグラントにＣＳＩリクエストを含めて送信し、移動局装置は、下りリンクアサインメントに含まれるＣＳＩリクエストに基づいて、プライマリセルにおけるＰＵＳＣＨを使用して、上りリンクトランスポートブロックを伴わずに上りリンク制御情報のみ（例えば、ＣＳＩのみ）を送信し、上りリンクグラントに含まれるＣＳＩリクエストに基づいて、上りリンクグラントによってセカンダリセルにスケジュールされたＰＵＳＣＨを使用して、上りリンクトランスポートブロックと共に上りリンク制御情報（例えば、ＣＳＩ）を送信することができる。
【０１５４】
上述のように、移動局装置がＣＳＩを送信することによって、より効率的にＣＳＩを送信することが可能となる。例えば、基地局装置による、ＰＵＳＣＨでの送信に対する送信電力の制御を容易にし、より効率的にＣＳＩを送信することが可能となる。
【０１５５】
すなわち、例えば、基地局装置は、下りリンクアサインメントに含まれるＣＳＩリクエストを使用してＣＳＩの送信をリクエストする場合には、ＤＣＩフォーマット３やＤＣＩフォーマット３Ａを使用して、ＰＵＳＣＨでのＣＳＩの送信に対する送信電力の制御を行うことができる。
【０１５６】
すなわち、基地局装置が、ＰＵＳＣＨに対する送信電力制御コマンドを含まないＤＣＩフォーマット（すなわち、下りリンクアサインメント）を使用してＣＳＩの送信をリクエストする際には、移動局装置が、プライマリセルにおけるＰＵＳＣＨを使用してＣＳＩを送信することによって、基地局装置によってＤＣＩフォーマット３やＤＣＩフォーマット３Ａを使用した、ＰＵＳＣＨでのＣＳＩの送信に対する送信電力の制御を行うことができる。
【０１５７】
すなわち、基地局装置が、ＰＵＳＣＨに対する送信電力制御コマンドを含まない下りリンクアサインメントを使用してＣＳＩの送信をリクエストする際に、新たにＣＳＩの送信に対する送信電力制御コマンドを送信（設定）する必要がなく、より効率的なＣＳＩの送信が可能となる。
【０１５８】
ここで、例えば、基地局装置は、上りリンクグラントに含まれるＣＳＩリクエストを使用してＣＳＩの送信をリクエストした場合には、上りリンクグラントに含まれるスケジュールされたＰＵＳＣＨに対する送信電力制御コマンドを使用して、ＰＵＳＣＨでのＣＳＩの送信に対する送信電力の制御を行う。
【０１５９】
すなわち、基地局装置が、ＰＵＳＣＨに対する送信電力制御コマンドを含むＤＣＩフォーマット（すなわち、上りリンクグラント）を使用してＣＳＩの送信をリクエストする際には、移動局装置が、スケジュールされたサービングセルにおけるＰＵＳＣＨを使用してＣＳＩを送信することによって、より適切なサービングセルにおけるＰＵＳＣＨでのＣＳＩの送信をリクエストすることができる。
【０１６０】
上述のようにＣＳＩを送信することによって、送信電力の制御を考慮したＣＳＩの送信が可能となり、より効率的にＣＳＩを送信することができる。また、ＣＳＩの送信に使用されるサービングセルを考慮したＣＳＩの送信が可能となり、より効率的にＣＳＩを送信することができる。
【０１６１】
ここで、上記までの説明では、移動局装置が、下りリンクアサインメントに含まれるＣＳＩリクエストに基づいて、プライマリセルにおけるＰＵＳＣＨを使用してＣＳＩを送信することを記載したが、移動局装置は、下りリンクアサインメントに含まれるＣＳＩリクエストに基づいて、プライマリセルにおけるＰＵＣＣＨを使用してＣＳＩを送信しても良い。すなわち、移動局装置は、下りリンクアサインメントに含まれるＣＳＩリクエストに基づいて、非周期的なＣＳＩを、ＰＵＣＣＨを使用して送信しても良い（Aperiodic CSI reporting using PUCCH、One shot CSI reporting using PUCCHとも呼称される）。すなわち、移動局装置は、下りリンクアサインメントに含まれるＣＳＩリクエストに基づいて、ＰＵＣＣＨを使用して、１回だけＣＳＩを送信することができる。
【０１６２】
すなわち、例えば、基地局装置は、下りリンクアサインメントにＣＳＩリクエストを含めて送信し、上りリンクグラントにＣＳＩリクエストを含めて送信し、移動局装置は、下りリンクアサインメントに含まれるＣＳＩリクエストに基づいて、プライマリセルにおけるＰＵＣＣＨを使用してＣＳＩを送信し、上りリンクグラントに含まれるＣＳＩリクエストに基づいて、あるサービングセルにスケジュールされたＰＵＳＣＨを使用してＣＳＩを送信することができる。
【０１６３】
ここで、基地局装置は、移動局装置によってＣＳＩを送信する際に使用されるＰＵＣＣＨのリソースを、上位層の信号（例えば、dedicated signaling）を使用して設定することができる。すなわち、基地局装置は、移動局装置によって非周期的にＣＳＩを送信するために使用されるＰＵＣＣＨのリソースを設定するためのパラメータを、上位層の信号を使用して設定することができる。ここで、移動局装置は、下りリンクアサインメントに含まれるＣＳＩリクエストに基づいて、ＰＵＣＣＨのリソースを使用してＣＳＩを送信する際には、上りリンクトランスポートブロックを伴わずにＣＳＩのみ（上りリンク制御情報のみ）を送信する。
【０１６４】
ここで、基地局装置は、ＣＳＩリクエストフィールド（例えば、１ビットまたは２ビットのフィールド）を、下りリンクアサインメントに含めるかどうかを指示するパラメータ（情報）を、上位層の信号（例えば、dedicated signaling）に含めて送信することができる。すなわち、基地局装置は、ＣＳＩリクエストフィールドを、下りリンクアサインメントに含めるかどうかを、移動局装置に対して設定することができる。
【０１６５】
すなわち、移動局装置は、基地局装置によって送信されたパラメータに従って、ＣＳＩリクエストフィールドが、下りリンクアサインメントに含まれているかどうかを認識する。すなわち、移動局装置は、ＣＳＩリクエストフィールドが下りリンクアサインメントに含まれることを設定された場合には、（例えば、１ビットまたは２ビットのフィールドが含まれていることを認識して）下りリンクアサインメント（下りリンクアサインメントが送信されるＰＤＣＣＨ）の検出を試みる（ブランドデコーディングを行う）。
【０１６６】
上述のように、基地局装置が、ＣＳＩリクエストフィールドを下りリンクアサインメントに含めるかどうかを設定することによって、ＣＳＩの送信をリクエストする可能性のある移動局装置に対する下りリンクアサインメントにのみ、ＣＳＩリクエストフィールドを確保することができる。すなわち、ＣＳＩの送信をリクエストする可能性のない移動局装置に対して、ＣＳＩリクエストフィールドを含まない下りリンクアサインメントを送信することが可能となり、より効率的にスケジューリングを行うことができる。
【０１６７】
さらに、基地局装置は、ＣＳＩリクエストフィールドを、下りリンクアサインメントと上りリンクグラントに含めるかどうかを指示するパラメータ（情報）を、上位層の信号（例えば、dedicated signaling）に含めて送信することができる。
【０１６８】
すなわち、基地局装置は、ＣＳＩリクエストフィールドを、下りリンクアサインメントと上りリンクグラントの両方に含めるかどうかを、単一の（共通な）パラメータを使用して、移動局装置に対して設定することができる。
【０１６９】
すなわち、移動局装置は、基地局装置によって送信された単一のパラメータに従って、ＣＳＩリクエストフィールドが、下りリンクアサインメントと上りリンクグラントの両方に含まれるかどうかを認識する。すなわち、移動局装置は、ＣＳＩリクエストフィールドが、下りリンクアサインメントと上りリンクグラントの両方に含まれることを設定された場合には、（例えば、１ビットまたは２ビットのフィールドが含まれていることを認識して）下りリンクアサインメント（下りリンクアサインメントが送信されるＰＤＣＣＨ）と上りリンクグラント（上りリンクグラントが送信されるＰＤＣＣＨ）の検出を試みる（ブランドデコーディングを行う）。
【０１７０】
上述のように、基地局装置が、ＣＳＩリクエストフィールドを、下りリンクアサインメントと上りリンクグラントに含めるかどうかを、単一のパラメータを使用して設定することによって、下りリンクアサインメントと上りリンクグラントのそれぞれに対してＣＳＩリクエストフィールドを含めるかどうかを設定する必要がなくなり、上位層の信号に含まれるパラメータを削減することができ、より効率的にＣＳＩリクエストフィールドに対する設定を行うことが可能となる。
【０１７１】
また、ＣＳＩリクエストフィールドが、下りリンクアサインメントに含まれるかどうかは、下りリンクアサインメント（下りリンクアサインメントが送信されるＰＤＣＣＨでも良い）が配置されるサーチスペースに応じて決定されても良い。例えば、移動局装置固有サーチスペースに配置される下りリンクアサインメントにはＣＳＩリクエストフィールドが含まれ、共通サーチスペースに配置される下りリンクアサインメントにはＣＳＩリクエストフィールドが含まれなくても良い。
【０１７２】
すなわち、例えば、基地局装置は、下りリンクアサインメントを移動局装置固有サーチスペースで送信し、移動局装置は、移動局装置固有サーチスペースで下りリンクアサインメントを検出した場合には、下りリンクアサインメントにＣＳＩリクエストフィールドが含まれていることを認識することができる。また、基地局装置は、下りリンクアサインメントを共通サーチスペースで送信し、移動局装置は、共通サーチスペースで下りリンクアサインメントを検出した場合には、下りリンクアサインメントにＣＳＩリクエストフィールドが含まれていないことを認識することができる。
【０１７３】
また、例えば、基地局装置は、下りリンクアサインメントを共通サーチスペースで送信し、移動局装置は、共通サーチスペースで下りリンクアサインメントを検出した場合には、下りリンクアサインメントにＣＳＩリクエストフィールドが含まれていることを認識することができる。また、基地局装置は、下りリンクアサインメントを移動局装置固有サーチスペースで送信し、移動局装置は、移動局装置固有サーチスペースで下りリンクアサインメントを検出した場合には、下りリンクアサインメントにＣＳＩリクエストフィールドが含まれていないことを認識することができる。
【０１７４】
上述のように、ＣＳＩリクエストフィールドが、下りリンクアサインメントに含まれているかどうかを、下りリンクアサインメントが配置されるサーチスペースに応じて決定することによって、移動局装置における処理をより容易とすることができる。例えば、移動局装置が、移動局装置固有サーチスペースまたは共通サーチスペースで検出した下りリンクアサインメントには、ＣＳＩリクエストフィールドが含まれていないことを認識することによって、移動局装置における処理をより容易とすることができる。
【０１７５】
上記までに説明した通り、移動局装置が、下りリンクアサインメントに含まれるＣＳＩリクエストに基づいて、常に、プライマリセルにおけるＰＵＳＣＨを使用してＣＳＩを送信し、上りリンクグラントに含まれるＣＳＩリクエストに基づいて、スケジュールされたサービングセルにおけるＰＵＳＣＨを使用してＣＳＩを送信することによって、より効率的にＣＳＩを送信することができる。
【０１７６】
例えば、基地局装置が、ＰＵＳＣＨを使用して送信されるＣＳＩに対する送信電力を、効率的に制御することが可能となる。また、基地局装置が、ＣＳＩの送信に使用されるサービングセルを適切に指示することが可能となる。
【０１７７】
以上説明した実施形態は、基地局装置および／または移動局装置に搭載される集積回路にも適用される。また、以上説明した実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行なっても良い。なお、ここでいう「コンピュータシステム」とは、ＯＳや周辺機器等のハードウェアを含むものとする。
【０１７８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、更に前述した機能をコンピュータシステムに既に記録されているプログラムとの組み合わせで実現できるものであっても良い。
【０１７９】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０１８０】
１００  基地局装置
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
１１０  無線リソース制御部
２００  移動局装置
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
２１０  無線リソース制御部
【図１】
2013135247.tif 000003
【図２】
2013135247.tif 000004
【図３】
2013135247.tif 000005
【図４】
2013135247.tif 000006
【図５】
2013135247.tif 000007
【図６】
2013135247.tif 000008